(57)【要約】【構成】汚染土壌を埋め立てる埋立ピットを、複数区画設置して、その内の２区画にだけ仮設の屋根設備を施工した上で、地元で発生した一般廃棄物の焼却灰を商品として購入し、第１区画の埋立ピットに埋め立て、焼却灰が適量を超えたら石灰系の薬剤を混合して埋立ピットの上に不透水層を施工し、第１区画の埋立ピット２１の埋め立てが完了したら覆土をして、屋根設備を取り外して、その屋根設備を第２区画を飛び越して次の第３区画の埋立ピット２３に移設する。以上の工程を最終区画３０まで繰り返し、埋め立てが完了したら屋根設備を取り外す汚染土壌処分システム。【効果】地方自治体は、一般廃棄物を焼却して焼却灰を形成し、さらにこの焼却灰を処分しなければならなかったものを、焼却灰を商品として売却して収入を得ることができ、しかも処分をする必要がなくなったので、地方自治体は焼却灰の処分費が不要になる。【選択図】      図１
2004344839.tif 000002
【特許請求の範囲】
【請求項１】
工場・建設現場・廃棄物の不法投棄現場・過去の廃棄物最終処分場等で発生する汚染土壌を埋め立てる埋立容量数千立米の埋立ピットを、確保できる広さに合わせた数の区画を設置して、その内の２区画にだけ仮設の屋根設備を準備施工した上で、地元で発生した一般廃棄物の焼却灰を商品として購入し、先の２区画の内、第１区画の埋立ピットに一時保管し、この一時保管した焼却灰が適量を超えたら石灰系の薬剤を混合して第１区画の埋立ピットの上に不透水層を施工し、この不透水層の上にさらに埋立容量の平均比重１．６倍の容量の汚染土壌を石灰系の薬剤で安定化させて埋め立てる。そして、汚染土壌を埋め立てている間は、仮設テントを施工してある第２区画の埋立ピットに残りの焼却灰を一時保管する。そして前記第１区画の埋立ピットの埋め立てが完了したら覆土をして、その第１区画の埋立ピットに仮設した屋根設備は取り外して、その仮設の屋根設備を第２区画を飛び越して次の第３区画の埋立ピットに移設する。以上の工程を最終区画の埋立ピットの埋め立てが完了するまで順次繰り返し、最終区画の埋立ピットの埋め立てが完了したら仮設の屋根設備を取り外し、敷地全体を緑化して地域住民が利用できる公園等として地方自治体に売却または寄贈する汚染土壌処分システム。
【発明の詳細な説明】
【０００１】
【発明の属する技術分野】
本発明は、工場・建設現場・廃棄物の不法投棄現場・過去の廃棄物最終処分場等から発生する汚染土壌の処分システムに関するものである。
【０００２】
【従来の技術】
従来は、汚染土壌を廃棄物の最終処分場に廃棄物と一緒に埋立て処分しており、その埋立て処理方法は廃棄物の埋立て処理方法とほとんど同じであった。その一例として、汚染土壌や廃棄物を投棄する埋立てピットの両側に、隣接する組立ヤードに跨る区間に亘り走行レールを敷設したならば、前記組立ヤードにおいて走行レール上に収縮状態で蛇腹式テント屋根構造物を組み立てるとともに、該蛇腹式テント屋根構造物の内部にフレームを利用して被覆用遮水シートを取付け、次いで前記蛇腹式テント屋根構造物を前記走行レール方向に伸長させると同時に、前記被覆用遮水シートを展張し、前記埋立てピットを覆う屋根体を構築する屋根設備の構築工程と、前記埋立てピット内に汚染土壌や廃棄物を投棄し、埋め立てを行う埋立て処理工程と、埋立てピット内に汚染土壌や廃棄物の投棄を終えたならば、前記被覆用遮水シートを蛇腹式テント屋根構造物から切り離し、埋立て領域を被覆する遮水シートを敷設する被覆処理工程と、前記蛇腹式テント屋根構造物を収縮し撤去するとともに、前記被覆用遮水シートの上面に覆土を行う埋立て最終処理工程とからなることを特徴とする埋立て処理方法（例えば、特許文献１参照）が存在している。
【０００３】
【特許文献１】
特開２００２−１７７９１９（特許請求の範囲、図１、図４、図６、図７）
【０００４】
【発明が解決しようとする課題】
従来の汚染土壌の処分には、廃棄物処理業や廃棄物最終処分場に関する地方自治体等の認可が必要である。また、地方自治体自身が一般廃棄物の焼却灰を処分するためには１トン当り４００００円前後の費用が必要であるという欠点がある。
【０００５】
これに対して、本発明に係る汚染土壌の処分システムは、汚染土壌専用の処分場を設置して埋立て処分するために、廃棄物処理業や廃棄物最終処分場の認可が不要になると同時に、一般廃棄物の焼却灰を商品として流通できるように購入して、それを汚染土壌専用の処分場に利用するというシステムを採用することで、前記問題を解決したものである。
【０００６】
【課題を解決するための手段】
本発明は、前記課題の解決を図ったもので、次のような技術手段を採用した。
請求項１記載の発明においては、工場・建設現場・廃棄物の不法投棄現場・過去の廃棄物最終処分場等で発生する汚染土壌を埋め立てる埋立容量数千立米の埋立ピットを、確保できる広さに合わせた数の区画を設置して、その内の２区画にだけ仮設の屋根設備を準備施工した上で、地元で発生した一般廃棄物の焼却灰を商品として購入し、先の２区画の内、第１区画の埋立ピットに一時保管し、この一時保管した焼却灰が適量を超えたら石灰系の薬剤を混合して第１区画の埋立ピットの上に不透水層を施工し、この不透水層の上にさらに埋立容量の平均比重１．６倍の容量の汚染土壌を石灰系の薬剤で安定化させて埋め立てる。そして、汚染土壌を埋め立てている間は、仮設テントを施工してある第２区画の埋立ピットに残りの焼却灰を一時保管する。そして前記第１区画の埋立ピットの埋め立てが完了したら覆土をして、その第１区画の埋立ピットに仮設した屋根設備は取り外して、その仮設の屋根設備を第２区画を飛び越して次の第３区画の埋立ピットに移設する。以上の工程を最終区画の埋立ピットの埋め立てが完了するまで順次繰り返し、最終区画の埋立ピットの埋め立てが完了したら仮設の屋根設備を取り外し、敷地全体を緑化して地域住民が利用できる公園等として地方自治体に売却または寄贈するという技術手段を採用した。
【０００７】
【実施例】
汚染土壌専用の処分場は、基本的に廃棄物の処分場と同じ構造をしている。したがって、以下、本発明における汚染土壌専用の処分場は混乱を避けるために廃棄物処分場として扱う。先ず、本発明の廃棄物処分場について簡単に説明する。
ゴミ（主にリサイクルの輪から外れた可燃ゴミの焼却灰）や汚染土壌を資源として活用するための廃棄物処分場である。これは「最終処分場」ではなく、「セメント原料の保管施設」で、貝殻と同じ「カルシウム」を用いて国土の環境保全に努めながら、安定した循環型社会を築いていくための廃棄物処分場である。
【０００８】
それは、図２に示すように埋立前の作業として選択した平坦な土地を掘削して埋立地１（掘削地）を形成し、その掘削土で外側に堰堤２を築き、基礎地盤に石灰石３を敷いて底部と側部に不透水層４を施し、上部に遮水シート５を張る。この遮水シート５と石灰系の薬剤で安定化させた汚染土壌６（図４を参照）の間に焼却灰を利用した不透水層が形成される。
【０００９】
次に、図３に示すように埋立中として、石灰系の薬剤で安定化させた汚染土壌６（図４を参照）を埋め立て、埋立層の表面を防水シート７で覆い、掘削土で築いた堰堤２を崩して防水シート７の上部に覆土８を施し、さらに覆土８を保護するために法面を緑化９する。
【００１０】
さらに図４に示すように埋立後の作業として、覆土８の全面を緑化１０して石灰系の薬剤で安定化させた汚染土壌６を保管しながら、跡地を公園等に活用し、石灰系の薬剤で安定化させた汚染土壌６（図４を参照）は循環型社会を築いてからセメント原料としてリサイクルするものである。
【００１１】
この廃棄物処分場（ゴミや汚染土壌を捨てない保管型処分場）は選択した土地の広さにより、図５に示すように掘削広さに合わせて周囲を土堰堤２で覆うようにし、中央に水処理施設１１を設け、区画堤１２で略４等分して４つの埋立区画１３を形成して、順次石灰系の薬剤で安定化させた汚染土壌６（図４を参照）を埋め立てて、４つの埋立区画１３を埋め立てるものである。さらに、図６に示すように区画するには、その土地に合わせて種々の形状が採用できる。
【００１２】
そして、黒色の部分は水処理施設、白色抜きの部分は区画された埋立区画で、（ａ）（ｂ）（ｃ）（ｅ）（ｇ）（ｈ）は４区画、（ｄ）は１８区画、（ｆ）は２６区画にしたものをそれぞれ示すものである。この他区画数は適宜選択できることはいうまでもない。
【００１３】
以下、本発明の一実施例を図１に基づいて詳細に説明する。
図１は、本発明の第一実施例を示し、工場・建設現場・廃棄物の不法投棄現場・過去の廃棄物最終処分場等で発生する汚染土壌の１０年分を埋め立てる汚染土壌処分場として埋立容量５０００立米の埋立ピットを、確保できる広さに合わせた数の区画、例えば１０区画を確保設置して、その内の２区画にだけ屋根設備としての仮設テントを準備施工した上で、地元で発生した一般廃棄物の焼却灰を例えば１トン当り１０００円で輸送費自己負担の商品として購入して、先の２区画の内、第１区画の埋立ピット１に一時保管して、この一時保管した焼却灰が例えば１０００トンを超えたら石灰系の薬剤を混合して第１区画の埋立ピット１の上に不透水層を施工し、この不透水層の上にさらに埋立容量に対して平均比重１．６倍の容量である８０００トンの汚染土壌を石灰系の薬剤で安定化させて埋め立てる。そして、汚染土壌を埋め立てている間は、仮設テントを施工してある第２区画の埋立ピット２に焼却灰１０００トンを一時保管する。そして前記第１区画の埋立ピット１の埋め立てが完了したら覆土をして、その第１区画の埋立ピット１に仮設したテントは取り外して、その仮設テントを第２区画を跳び越して次の第３区画の埋立ピット３に移設する。以上の工程を最終区画である第１０区画の埋立ピットの埋め立てが完了するまで順次繰り返し、第９区画の仮設テントは移設せずに最終区画である第１０区画の埋立ピットの埋め立てが完了したら仮設テントを取り外し、敷地全体を緑化して地域住民が利用できる公園等として地方自治体に売却または寄贈する汚染土壌処分システムである。
【００１４】
ここで、図示でも理解できるように、具体的実施例について説明すると、先ず第１区画の埋立ピット１と第２区画の埋立ピット２の２区画に仮設テントを施工し、第１区画の埋立ピット１に地元の一般廃棄物の焼却灰を１トン当り１０００円位で購入し、これにより廃棄物処分場の内面に、石灰系の薬剤を混入した泥を塗着して不透水層を形成し、汚染土壌は全て処分の度に石灰系の薬剤で安定化してから投入し、重機等により踏み固めて汚水が地下に浸透しない不透水層とし、この作業を繰り返してグランドレベル迄埋立て、その上部を安定化汚染土壌を利用した盛土により埋立てた状態で盛土の上部を保護するために法面を緑化し、養生期間を経た後、跡地を公園等に活用する。さらに一般廃棄物の焼却灰が購入できると第２区画の埋立ピット２に保管し、第１区画の埋立ピット１で行ったと同様に処分する。そして、目安として、１年後位に第１区画の埋立ピット１に施工された仮設テントを取り外し、第３区画の埋立ピット３に施工し、この第３区画の埋立ピット３に購入してきた一般廃棄物の焼却灰を保管し、第１区画の埋立ピット１で行ったと同様に処分する。
【００１５】
さらに、同様に仮設テントで覆われた第２区画の埋立ピット２は、目安として、１年後位に仮設テントが取り外され、第４区画の埋立ピット４に施工し、この第４区画の埋立ピット４に購入してきた一般廃棄物の焼却灰を保管し、第２区画の埋立ピット２内で行ったと同様に汚染土壌を処分する。これを繰り返すように、目安として１年後位に第３区画の埋立ピット３に施工した仮設テントを取り外し、第５区画の埋立ピット５に施工し、同様に一般廃棄物の焼却灰と汚染土壌を処分する。第４区画の埋立ピット４に施工した仮設テントを取り外し、第６区画の埋立ピット６に施工し、同様に一般廃棄物の焼却灰と汚染土壌を処分する。また、第５区画の埋立ピット５を第７区画の埋立ピット７に、第６区画の埋立ピット６を第８区画の埋立ピット８に、第７区画の埋立ピット７を第９区画の埋立ピット９に、第８区画の埋立ピット８を第１０区画の埋立ピット１０に仮設テントを繰り返し移設し、一般廃棄物の焼却灰と汚染土壌を処分するものである。
【００１６】
【発明の効果】
本発明は、以上の構成を採用した結果、次のような効果を得ることができる。
（１）地方自治体は、一般廃棄物を焼却して焼却灰を形成し、さらにこの焼却灰を処分しなければならなかったものを、焼却灰を商品として売却して収入を得ることができ、しかも処分をする必要がなくなったので、地方自治体は焼却灰の処分費が不要になる。
（２）設置工事期間を１年と考えた場合、第１区画の工事を先行させて焼却灰の一時保管を開始すれば、設置工事完了直後に汚染土壌の搬入が可能になる。
（３）一般廃棄物の焼却灰の他に、近年排出量が増えているリサイクル率の低い溶融スラブも対象物として採用でき、これを不透水層の骨材として利用できる。
【図面の簡単な説明】
【図１】本発明の第一実施例で、汚染土壌処分システムのモデルを示す概念図である。
【図２】本発明の廃棄物処分場に汚染土壌を埋め立てる前の状態を示す断面図である。
【図３】同じく汚染土壌を埋め立て中の状態を示す断面図である。
【図４】同じく汚染土壌を埋め立てた後の状態を示す断面図である。
【図５】本発明における廃棄物処分場の一形態を示す概略平面図である。
【図６】本発明における廃棄物処分場の他の形態を示す概略平面図である。
【符号の説明】
１‥‥埋立地                          ２‥‥堰堤
３・・・・石灰石                          ４・・・・不透水層
５・・・・遮水シート                      ６・・・・汚染土壌
７・・・・防水シート                      ８・・・・覆土
９・・・・緑化                          １０・・・・緑化
１１・・・・水処理施設                    １２・・・・区画堤
１３・・・・埋立区画
２１・・・・第１区画の埋立ピット          ２２・・・・第２区画の埋立ピット
２３・・・・第３区画の埋立ピット          ２４・・・・第４区画の埋立ピット
２５・・・・第５区画の埋立ピット          ２６・・・・第６区画の埋立ピット
２７・・・・第７区画の埋立ピット          ２８・・・・第８区画の埋立ピット
２９・・・・第９区画の埋立ピット          ３０・・・・第１０区画の埋立ピット
【図１】
2004344839.tif 000003
【図２】
2004344839.tif 000004
【図３】
2004344839.tif 000005
【図４】
2004344839.tif 000006
【図５】
2004344839.tif 000007
【図６】
2004344839.tif 000008